(57)【要約】【課題】貯水栽培法によっても、長期間にわたり正常に植物を栽培することを可能とし、植物の栽培をきわめて簡素化する。【解決手段】培養土１２として、草本植物由来の泥炭を１０〜６０容量％混合した培養土を用いる。栽培容器１０の側面に排水口１１を設け、収容した培養土１２の排水口１１より下部の部分１３を水に浸漬した状態で植物１を栽培する。３月程度の貯水栽培でも、根腐れは生じず、正常な植物栽培が可能となる。【選択図】  図２
2004337075.tif 000002
【特許請求の範囲】
【請求項１】
草本植物由来の泥炭を１０〜６０容量％混合した培養土を部分的に水に浸漬した状態で植物を栽培する植物栽培方法。
【請求項２】
栽培容器の所定の高さに排水口を設け、排水口より下部に貯水できる構造とした栽培容器に草本植物由来の泥炭を１０〜６０容量％混合した培養土を収納し、栽培容器の排水口より下部を水に浸漬した状態で植物を栽培する植物栽培方法。
【請求項３】
草本植物由来の泥炭を１０〜６０容量％含有する培養土を収容する容器であって、当該培養土を収容した状態で、その下部の部分を水に浸漬させる手段を備える植物栽培容器。
【請求項４】
容器の所定の高さに排水口を備える請求項３に記載の植物栽培容器。
【発明の詳細な説明】
【０００１】
【発明の属する技術分野】
本発明は、花、観葉植物、野菜などの植物を簡易な手段で栽培できる栽培方法および栽培容器に関する。
【０００２】
【従来の技術】
植木鉢、プランターなどの栽培容器に培養土を入れ、花、観葉植物、野菜などの植物を栽培することが行われている。栽培に当たっては、培養土に含まれる水分量をコントロールするために水遣りを行う。培養土が乾燥したときにタイミングよく水遣りをしない場合には、乾燥により植物を枯らしてしまい、水を遣り過ぎた場合には、根腐れで植物を正常に育てられない場合が起こる。そのため、水遣りを自動化するための種々の工夫を凝らした栽培容器が考案されている。
【０００３】
図３ａ〜ｃはそれらの例を示している。図３ａのものは、図示しない貯水タンクからの水をタイマーと電磁弁とを備えた分配装置２０によりチューブ２１を介して複数個の栽培容器２２に一定サイクルで供給しようとするものである。この装置は複雑かつ高価であるばかりでなく、個々の栽培容器２２・・に異なったサイクルで水遣りすることはできない。
【０００４】
図３ｂのものは、培養土２３を収容した容器２２の下方に水タンク２４を配置し、培養土２３の乾燥度に応じた水分を吸水シート２５により吸水して、培養土中の水分量を一定にコントロールしようとするものであるが、水と共に塩が培養土の上部に移動しやすく、生育障害を起こす恐れがある。
【０００５】
図３ｃのものは、栽培容器２２の下に水受け皿２６を置き、培養土２３の下部を常時水に浸しておく方法であるが、従来知られた培養土を用いた栽培においてこの方法を採用すると、水分過多により根腐れが発生するために、長期の栽培はできない。
【０００６】
より改良された栽培方法および装置として、特許文献１（特開２００２−３６００６２号公報）には、図４に示すように、培地４０を、液体の拡散性・保水力の高い培地層（好ましくはバーミキュライトなど）からなる上層４１と、通気性・排水性の高い培地層（好ましくはバーク堆肥など）からなる中間層４２と、保水力・保肥力の高い培地層（好ましくはバーミキュライト、泥炭など）からなる下層４３とにより形成し、それを液体通過部を備えた突出部４４を液絡部として底部に形成した植物栽培ベッド４５に収容すると共に、保水力・保肥力の高い培地材料４６を充填した排液貯留部４７内に、前記突出部４４が位置するよう植物栽培ベッド４５を置いて、植物を栽培するようにしたものが記載されている。各層４１〜４３の性能が異なることにより培地の水分配分を均等にすることができると共に、排液貯留部４７内に貯留された排液は、液絡部を構成する前記突出部４４を介して毛管現象により吸い上げられて、再度植物に利用されるというものである。
【特許文献１】
特開２００２−３６００６２号公報
【０００７】
【発明が解決しようとする課題】
特開２００２−３６００６２号公報に記載の栽培容器は、異なった性質を持つ培地を層構造として配置したことにより、長期にわたる栽培において、根腐れが生じるのをある程度は回避できるものと期待される。しかし、複数種の培地を用意し、それを層状に配置することは容易でなく、一般家庭での植物栽培法に適しているとはいえない。また、植物栽培ベッドとして液体通過部を備えた突出部を底部に形成した特別の植物栽培ベッドを必要とする。さらに、排液貯留部４７内に貯留された排液を毛管現象により吸い上げるようにしており、図３ｂに示したものと同様、水と共に塩が培養土の上部に移動しやすく、塩障害を起こす可能性がある。
【０００８】
本発明の目的は、複数種の培地を用いることなく一種類の培地（培養土）を用い、かつ、特別の栽培容器を用いることなく一般的な鉢を用いて貯水栽培を行いながら、長期にわたる正常な植物栽培をすることができる、新たな植物栽培方法と栽培容器を提供することを目的とする。
【０００９】
【課題を解決するための手段】
本発明者らは、多くの実験を反復して行うことにより、一般的な培養土に一定量の草本植物に由来する泥炭を混合することにより、栽培容器の下部に貯水した状態で植物を栽培しても、長期にわたり、根腐れ等を起こさずに正常に植物を栽培できることを見出した。
【００１０】
本発明は上記の知見に基づくものであり、本発明による植物栽培方法は、基本的に、草本植物由来の泥炭を１０〜６０容量％混合した培養土を部分的に水に浸漬した状態で植物を栽培することを特徴とする。
【００１１】
泥炭には、「ミズゴケに由来する泥炭」と「草本植物に由来する泥炭」の２種類が存在する。「ミズゴケに由来する泥炭」はピートモスと呼ばれ、従来から園芸用の培養土として一般的に使用されている。本発明者らの実験では、「ミズゴケに由来する泥炭」と「草本植物に由来する泥炭」は、保水性などの水分特性が大きく異なっており、貯水栽培において「ミズゴケに由来する泥炭」を使用しても、良好な結果が得られなかった。従って、本発明において、泥炭の中で「草本植物に由来する泥炭」を用いることは、大きな技術的意義を持つ。
【００１２】
培養土における草本植物に由来する泥炭以外のものは、通常の容器栽培においてこれまで用いられている一般的な培養土のいずれであってもよい。例えば、ピートモス、赤玉土、パーライト、バーミキュライトなどを、単独であるいはその２種以上のものを適宜の割合で混合したものなどであってよい。他に、鹿沼土、真砂土、黒土、日向土、腐葉土のようなものでもよい。
【００１３】
培養土に含まれる草本植物由来の泥炭の量は、１０〜６０容量％であり、より好ましくは、２０〜５０容量％程度である。１０容量％未満では、根腐れが発生してしまい、長期にわたっては正常に植物を栽培することはできない。６０容量％を越えると乾燥しやすくなり、やはり植物の栽培に不都合が生じる場合がある。
【００１４】
本発明による栽培方法では、培養土を部分的に水に浸漬した状態で、月単位の期間に亘って正常な植物の栽培が可能となる。その間に、水遣りは不要あるいは行うとしてもきわめて少ない回数で済み、一般家庭においても、安定した植物栽培が可能となる。また、用いる培養土は１種類ですみ、しかも、それは一般の培養土と草本植物に由来する泥炭とを混合するだけで製造メーカーが容易に製造することができ、一般の人は園芸店などで容易に入手できる利点もある。さらに、栽培容器も通常の鉢のような一般的な容器をそのまま用いることができる利点もある。
【００１５】
本発明において、栽培の対象となる植物は任意であるが、培養土が極端に乾燥した状態を維持し難いことから、本発明は、乾燥を好まない性質を持つ植物の栽培に特に適している。
【００１６】
本発明において、栽培容器の形状や構造は、培養土を部分的に水に浸漬した状態とし、その状態を維持できることを条件に任意であり、制限はない。前記のように通常の鉢を水受け皿と共にそのまま利用することができる。好ましくは、所定の高さに排水口を有していて、その位置で培養土が水に浸漬している状態を維持できるようにし、それより上位の培養土は自然吸水による含水率の状態としておくことは栽培上きわめて好ましい。
【００１７】
従って、本発明の好ましい栽培方法では、栽培容器の所定の高さに排水口を設け、排水口より下部に貯水できる構造とした栽培容器に草本植物由来の泥炭を１０〜６０容量％混合した培養土を収納し、栽培容器の排水口より下部を水に浸漬した状態で植物を栽培することを特徴とする。この方法によれば、水分過多による根腐れが生じるのを一層確実に防止ができ、植物の知識が少なくても、安定して植物を栽培することがより確実となる。
【００１８】
本発明は、また、上記の栽培方法を実施するための栽培容器として、草本植物由来の泥炭を１０〜６０容量％含有する培養土を収容する容器であって、当該培養土を収容した状態で、その下部の部分を水に浸漬させる手段、例えば水受け皿のような手段をさらに備えるようにする。好ましくは、栽培容器の所定の高さに排水口を備えるようにして、栽培容器内の水位を排水口以下のレベルとなるようにする。栽培容器を構成する材料に特に制限はないが、長期にわたる浸漬栽培であることを考慮すると、粘度の焼成品やプラスチックのような材料は特に好ましい。
【００１９】
【発明の実施の形態】
以下、本発明を実施の形態により説明する。図１，図２は、本発明を実施した場合の２つの態様を示している。図１のものは、容器の側面の所定の高さに排水口１１を備えたプラスチック製の栽培容器１０を単独で用いて、植物１を栽培している。栽培容器１０には、草本植物由来の泥炭を１０〜６０容量％混合した培養土１２が充填され、排水口１１より下方の部分１３は容器１０内に注水した水に浸漬している。栽培容器１０への注水は、適宜の注水装置を用いて前記排水口１１から行うようにしてもよく、通常の鉢栽培のように、培養土１２の上から多くの水を注ぎ込む（水遣りする）ようにしてもよい。余分な水は排水口１１から排出されるので、それより上の培養土１２が水に浸漬した状態となることはない。いずれにおいても、排水口１１より上の培養土１２は、上から頻繁に水遣りをしなくても、自然吸水により長期にわたり適切な含水率に維持される。また、植物１の根２の大部分は、排水口１１より上の培養土１２の部分で生長しており、水分過剰により根腐れを起こすことはない。もちろん、水を好む植物の場合には、培養土１２の水に浸漬した部分１３にも根は入り込む。
【００２０】
図２では、底面に脚１４と吸排水口１５を備えた栽培容器１０（普通に用いられている鉢でよい）と水受け皿１６とを用い、水受け皿１６の上に栽培容器１０をおいた状態で栽培を行っている。栽培に当たり、水Ｗは、培養土１２の上から注水してもよく、水受け皿１６内に注水してもよい。前者の場合には、余分な水は吸排水口１５を通って水受け皿１６に収容される。後者の場合には、水Ｗは吸排水口１５から容器内に入り込み、培養土１２の下方部分１３を水に浸漬した状態とする。栽培時に、水のレベルを水受け皿１６内の水レベルで容易に確認できるので、追加給水のタイミングを容易に把握することができる。
【００２１】
以下の実施例に示すように、本発明では、培養土として「草本植物由来の泥炭を１０〜６０容量％混合した培養土」を用いたことにより、下方の培養土１３を水に浸した状態としておくだけで、上からの水遣りの回数を減らしたり、省略しても、月単位にわたる長期間での正常な植物栽培が可能となる。
【００２２】
【実施例】
以下、実施例および比較例により本発明を説明する。
［実施例］
図２に示した栽培容器を用いて栽培を行った。培養土として、ピートモス、赤玉土、パーライト、バーミキュライトを混合した培養土（以下、培養土Ａ）と、前記培養土Ａに草本植物に由来する泥炭（以下、泥炭）を２０容量％、５０容量％の割合で混合した培養土を用いた。栽培植物はデージーとパンジーとした。水受け皿１６を設置し、前記１３で示す培養土の部分が水に浸漬した状態となるように、週に１回の割合で水遣りを行いながら、３ヶ月間栽培した。３ヶ月後の植物の生長量を生重量として評価した。その結果を表１（デージーの場合）と表２（パンジー）に示す。
【００２３】
［比較例１］
培養土として、前記培養土Ａ（泥炭を混合しないもの）を用い、水受け皿を設置しないで、実施例と同様に栽培を行い、同様にして生重量を評価した。但し、毎日１回、培養土１２の上からの水遣りを行った。その結果を表１，表２に示す。
［比較例２］
培養土として、前記培養土Ａ（泥炭を混合しないもの）を用い、実施例と同様にして栽培を行い、同様にして生重量を評価した。その結果を表１，表２に示す。
【００２４】
【表１】
2004337075.tif 000003
【００２５】
【表２】
2004337075.tif 000004
【００２６】
［評価］
表１，表２に示すように、デージーの場合では、培養土Ａのみで貯水しながら栽培することにより（比較例２）、貯水なし（比較例１）と比較して、地上部および根の生重量が共に減少するのに対して、泥炭２０容量％を混合した培養土で栽培した場合には、地上部の生重量が培養土Ａのみで貯水しないで栽培した場合（比較例１）と同程度になった。泥炭５０容量％を混合した培養土で栽培した場合には、地上部および根の生重量が培養土Ａのみで貯水しないで栽培した場合（比較例１）と同程度になった。
【００２７】
パンジーの場合では、培養土Ａのみで貯水しながら栽培することにより（比較例２）、貯水なし（比較例１）と比較して、地上部・根の生重量が共に減少するのに対して、泥炭２０容量％もしくは泥炭５０容量％を混合した培養土で栽培した場合には（実施例）、地上部の生重量が培養土Ａのみで貯水しないで栽培した場合（比較例１）と同程度になった。
【００２８】
以上のことは、本発明によれば、頻繁に培養土の上からの水遣りを行うことなく、かつ、普通に用いられている底面に排水口を備えた鉢を用いて、正常に植物を貯水栽培の方法で栽培できることを示しており、栽培がきわめて簡素化されることがわかる。
【００２９】
【発明の効果】
本発明によれば、草本植物由来の泥炭を１０〜６０容量％混合した培養土を用いることにより、貯水栽培法によっても、正常に植物を栽培することが可能となり、植物の栽培をきわめて簡素化することができる。
【図面の簡単な説明】
【図１】本発明による栽培方法を実施した場合の１つの態様を示す図。
【図２】本発明による栽培方法を実施した場合の他の態様を示す図。
【図３】水遣りを自動化した従来の栽培装置を説明する図。
【図４】栽培容器を用いた従来の他の栽培方法を説明する図。
【符号の説明】
１…植物、２…根、１０…栽培容器、１１…排水口、１２…草本植物由来の泥炭を１０〜６０容量％混合した培養土、１３…培養土の水に浸漬した部分、１４…脚、１５…吸排水口、１６…水受け皿、Ｗ…水
【図１】
2004337075.tif 000005
【図２】
2004337075.tif 000006
【図３】
2004337075.tif 000007
【図４】
2004337075.tif 000008